(57)【要約】【課題】  ホームネットワークシステムに適するように改良され、利便性を向上させた端末やステーション等のホームネットワーク用機器を提供することを目的とする。【解決手段】  ホームネットワークシステムにおいて、ホームネットワーク用端末機器の管理・制御を行うためのステーションであって、各種演算処理を行う演算装置と、情報を格納する記憶装置と、前記端末機器と通信を行うための通信装置と、を備える。害ステーションは、ホーム内に設けられている電源コンセントの裏側である壁内に設置されることを特徴とする。【選択図】図１
2006191165.tif 000002
【特許請求の範囲】
【請求項１】
ホームネットワークシステムにおいて、ホームネットワーク用端末機器の管理・制御を行うためのステーションであって、
各種演算処理を行う演算装置と、
情報を格納する記憶装置と、
前記端末機器と通信を行うための通信装置と、を備え、
ホーム内に設けられている電源コンセントの裏側である壁内に設置されることを特徴とするホームネットワーク用ステーション。
【請求項２】
ホームネットワークシステムにおいて用いられる無線中継装置であって、
他のホームネットワーク用機器と通信するための無線受発信装置と、
前記無線受発信装置を制御するための制御装置と、を備え、
前記制御装置は、前記他のホームネットワーク用機器から、所定のホームネットワーク用端末機器の制御を行うための制御信号を受信すると、この制御信号を前記所定のホームネットワーク用端末機器が受信可能な無線信号に変換し、この変換後の無線信号を前記無線受発信装置から前記所定のホームネットワーク用端末機器に対して送信するように制御することを特徴とするホームネットワーク用無線中継装置。
【請求項３】
前記所定のホームネットワーク用端末機器は、赤外線によって制御される端末機器であって、前記無線受発信装置は、赤外線発信機能を有し、前記所定のホームネットワーク用機器と赤外線送受信が可能な位置に設置されることを特徴とする請求項２記載のホームネットワーク用無線中継装置。
【請求項４】
ホームネットワークシステムにおいて、ホームネットワーク用端末機器の充電を行うための充電用クレードルであって、
複数種類のホームネットワーク用端末機器と接続可能な電極を備えたことを特徴とするホームネットワーク用の充電用クレードル。
【請求項５】
ホームネットワークシステムにおいて、ステーションと共同してホームネットワーク用端末機器の制御を行うためのホームネットワーク用機能可変型スイッチ端末であって、
少なくとも１つのスイッチと、
他のホームネットワーク用機器と無線通信を行うための無線通信装置と、
ホームネットワーク用機能可変型スイッチ端末内に電力を供給するための充電池と、を備え、
前記スイッチが押されると、当該スイッチが押されたことを示す押下信号をホームネットワーク内のステーションに向けて送信し、スイッチと当該スイッチにより制御される端末機器及びその制御内容である関連付け情報を保持するステーションを介して、当該スイッチに関連付けられた前記端末機器を制御するように構成されていることを特徴とするホームネットワーク用機能可変型スイッチ端末。
【請求項６】
ホームネットワークシステムにおいて用いられる電源タップであって、
ホームネットワーク内のステーションと通信するための通信装置と、
複数のコンセント口と、
外部電力源に接続するための電源ケーブルと、
前記ステーションからの指示信号に従って、前記複数のコンセント口の何れのコンセント口をＯＮ／ＯＦＦするかの制御を行う制御装置と、を備えたことを特徴とするホームネットワーク用電源タップ。
【発明の詳細な説明】
【技術分野】
【０００１】
本発明は、ホームネットワークシステムに関し、特に、ホームネットワークシステムにおいて使用されるステーションや端末等の各種ホームネットワーク用機器に関する。
【背景技術】
【０００２】
近年、各家庭内に普及している家電製品を、家庭内のネットワークに接続し、各家電製品を集中的に管理しようとするホームネットワークシステムが、数多く提案されている。
例えば、下記特許文献１、特許文献２に開示されたホームネットワークシステムが知られている。一般に、ホームネットワークシステムは、家庭内に設置されるテレビ、エアコン、冷蔵庫、湯沸かし器、電話等の家電製品等の端末と、これらを集中管理するサーバ（ステーション）から構成される。これら端末やステーション等の機器は、無線ＬＡＮや有線ＬＡＮ等によって接続されており、端末とステーションの間でデータ通信が可能に構成されている。
【０００３】
【特許文献１】特開平１０−５１４６４号公報
【特許文献２】特開２００３−７８９７１号公報
【発明の開示】
【発明が解決しようとする課題】
【０００４】
しかし、上記従来のホームネットワークシステムに用いられる端末機器は、既存の家電製品等の端末をそのまま用いる場合が多く、ホームネットワーク用に特化した端末はほとんど提案されていない。
また、ステーションに関しては、通常のＰＣ（Personal Computer）やサーバを用いており、家庭内に設置するのに適した形状やデザイン性に関しては何ら考慮されていない。
【０００５】
本発明は、このような課題を解決するためになされたものであり、ホームネットワークシステムに適するように改良され、利便性を向上させた端末やステーション等のホームネットワーク用機器を提供することを目的とする。
【課題を解決するための手段】
【０００６】
上記課題を解決するために、本発明に係るホームネットワーク用ステーションは、ホームネットワークシステムにおいて、ホームネットワーク用端末機器の管理・制御を行うためのステーションであって、各種演算処理を行う演算装置と、情報を格納する記憶装置と、前記端末機器と通信を行うための通信装置と、を備え、ホーム内に設けられている電源コンセントの裏側である壁内に設置されることを特徴とする。
【０００７】
また、本発明に係るホームネットワーク用無線中継装置は、ホームネットワークシステムにおいて用いられる無線中継装置であって、他のホームネットワーク用機器と通信するための無線受発信装置と、前記無線受発信装置を制御するための制御装置と、を備え、前記制御装置は、前記他のホームネットワーク用機器から、所定のホームネットワーク用端末機器の制御を行うための制御信号を受信すると、この制御信号を前記所定のホームネットワーク用端末機器が受信可能な無線信号に変換し、この変換後の無線信号を前記無線受発信装置から前記所定のホームネットワーク用端末機器に対して送信するように制御することを特徴とする。
【０００８】
また、本発明に係るホームネットワーク用の充電用クレードルは、ホームネットワークシステムにおいて、ホームネットワーク用端末機器の充電を行うための充電用クレードルであって、複数種類のホームネットワーク用端末機器と接続可能な電極を備えたことを特徴とする。
【０００９】
また、本発明に係るホームネットワーク用機能可変型スイッチ端末は、ホームネットワークシステムにおいて、ステーションと共同してホームネットワーク用端末機器の制御を行うためのホームネットワーク用機能可変型スイッチ端末であって、少なくとも１つのスイッチと、他のホームネットワーク用機器と無線通信を行うための無線通信装置と、ホームネットワーク用機能可変型スイッチ端末内に電力を供給するための充電池と、を備え、前記スイッチが押されると、当該スイッチが押されたことを示す押下信号をホームネットワーク内のステーションに向けて送信し、スイッチと当該スイッチにより制御される端末機器及びその制御内容である関連付け情報を保持するステーションを介して、当該スイッチに関連付けられた前記端末機器を制御するように構成されていることを特徴とする。
【００１０】
また、本発明に係るホームネットワーク用電源タップは、ホームネットワークシステムにおいて用いられる電源タップであって、ホームネットワーク内のステーションと通信するための通信装置と、複数のコンセント口と、外部電力源に接続するための電源ケーブルと、前記ステーションからの指示信号に従って、前記複数のコンセント口の何れのコンセント口をＯＮ／ＯＦＦするかの制御を行う制御装置と、を備えたことを特徴とする。
【発明の効果】
【００１１】
本発明に係るホームネットワーク用機器によれば、ホームネットワークシステムに適するように改良されており、ホームネットワークを使用するユーザの利便性を格段に向上させることができる。
【発明を実施するための最良の形態】
【００１２】
以下、図面を参照しながら、本発明の実施形態について詳細に説明する。本実施の形態に係るホームネットワークシステムは、種々のホームネットワーク用機器から構成されている。図１は、本実施の形態に係るホームネットワークシステム１の構成を概略的に示す図である。同図に示すように、ホームネットワーク用機器は、ホームネットワークシステム１におけるサーバ的な機能を果たすステーション１０と、端末機器としての、多機能リモコン２０、赤外線中継装置３０、充電用クレードル４０、壁掛テレビ５０、機能可変型スイッチ６０及び電源タップ７０とを含んでいる。
【００１３】
また、同図に示すように、赤外線中継装置３０Ａ、充電用クレードル４０、壁掛テレビ５０及び電源タップ７０は、部屋Ａ内に設置され、機能可変型スイッチ６０及び赤外線中継装置３０Ｂは、部屋Ｂ内に設置され、ステーション１０は、部屋Ａと部屋Ｂの境界壁の中に設置されている。赤外線中継装置３０は、後述するように赤外線発信機能を備えており、同じ部屋に設置されている赤外線受信機能を備えた端末機器との間で赤外線通信を確立できるように、各部屋の天井の中心に埋め込まれて設置されている。
【００１４】
これらホームネットワーク用機器は、それぞれ無線ＬＡＮ機能を搭載しており、ステーション１０と端末機器との間や、端末機器間で通信可能に構成されている。ステーションは、光ファイバ網や電話回線網等のネットワーク５を介して、インターネット等の外部ネットワークに接続されている。
【００１５】
また、ステーション１０、赤外線中継装置３０、充電用クレードル４０、電源タップ７０は、図示しない電源に接続されており、電力の供給を受けている。また、多機能リモコン２０、機能可変型スイッチ６０内には、充電池が内蔵されており、多機能リモコン２０及び機能可変型スイッチ６０は、この充電池から電力を供給されて作動する。
【００１６】
このような構成のホームネットワークシステム１においては、ステーション１０が、各端末機器を集中管理・制御しており、ステーション１０から各端末機器を制御可能に構成されている。具体的には、ユーザは、多機能リモコン２０を介して、各端末機器の管理・制御を行うことができる。すなわち、ユーザが多機能リモコン２０から発信した指令は、無線ＬＡＮを介してステーション１０に送られ、ステーション１０から各端末機器へと指令が配信される。また、各端末機器の状態や管理情報は、ステーション１０に逐次集められた格納されており、ユーザは、多機能リモコン２０のディスプレイを介して、管理情報を閲覧することができる。
【００１７】
ここで、本ホームネットワークシステム１において、ユーザにとってのインターフェースとして役割を果たす多機能リモコン２０の構成について、図面を参照して詳細に説明する。この多機能リモコン２０は、ユーザが自由に持ち運んで、任意の場所で利用することができる。図２は、多機能リモコン２０の外観構成を示す図である。同図に示すように、多機能リモコン２０は、筐体２５、筐体２５に設置されたディスプレイ２１、多機能ボタン２２及び接続端子２４から構成されている。また、筐体２５は、ヒンジ部２３を軸として回動させることで、二つ折りにしてコンパクトにしたり、ストレート状の端末にしたりすることが可能である。ディスプレイ２１は、様々な情報を表示するためのものであり、リモコンの操作方法や、端末機器の管理情報等が表示される。また、多機能リモコン２０は、無線ＬＡＮ機能以外に、通信機能として図示しない赤外線通信機能を搭載しており、ステーション１０を介さずに、壁掛テレビ５０等の赤外線受信機能を備える端末機器を直接制御するリモコンとしての機能も備えている。
【００１８】
ここで、多機能ボタン２２は、ＬＣＤ（液晶表示）パネルとタッチパネルからなるタッチスクリーンによって構成されている。よって、このＬＣＤパネルに種々の機器用のボタンパターンを表示することで、様々な端末機器のリモコンとして使用することが可能である。
【００１９】
図３及び図４に、多機能ボタン２２に表示されるボタンパターンの一例を示す。図３（ａ）は、テキストデータを入力するリモコンとして機能するテキスト入力モードの際に表示される画面を示している。図３（ｂ）は、テレビのリモコンとして機能するテレビモードの際に表示される画面を示し、図３（ｃ）は、簡易バージョンのテレビのリモコンとして機能する簡易テレビモードの際に表示される画面を示している。また、図４（ａ）は、ビデオのリモコンとして機能するビデオモードの際に表示される画面、図４（ｂ）は、英語バージョンのビデオのリモコンとして機能する英語ビデオモードの際に表示される画面、図４（ｃ）は、エアコンのリモコンとして機能するエアコンモードの際に表示される画面を示している。
【００２０】
次に、ステーション、赤外線中継装置、クレードル、機能可変型スイッチ及び電源タップの構成・機能に関して、順に詳細に説明する。
（１）ステーション
まず、ステーション１０の構成について詳細に説明する。図５は、ステーション１０の構成を概略的に示すブロック図である。同図に示すように、ステーション１０は、各種演算処理を行うための演算装置としてのＣＰＵ１１、この演算処理に必要な情報を一時的に格納するためのメモリ１２、所定のアプリケーション及び必要な情報が格納されるハードディスクドライブ（ＨＤＤ）１３、他の機器と無線通信するための無線ＬＡＮ装置１４、ＵＳＢ機器と接続するためのＵＳＢ接続端子１５、コンパクトフラッシュ（登録商標）カード用のコンパクトフラッシュ（登録商標）スロット１６、ネットワークと接続するための有線ＬＡＮ端子１７とを備えている。
【００２１】
このＵＳＢ接続端子１５は、USB2.0規格に対応するものであり、様々なＵＳＢ接続対応機器を接続することができ、例えば、外付けハードディスクドライブを増設して接続することができる。また、コンパクトフラッシュ（登録商標）スロット１６には、様々なコンパクトフラッシュ（登録商標）カードを挿すことができる。例えば、ステーション内蔵の無線ＬＡＮ装置１４による電波状況が悪い場合に、コンパクトフラッシュ（登録商標）スロット１６に無線ＬＡＮカードを挿入することで、電波状況を改善することができる。また、コンパクトフラッシュ（登録商標）メモリを用いることで、ネットワーク機能を持たない外部機器とデータのやり取りを行ったり、ステーション１０にインストールされたドライバのバージョンアップ、データのバックアップ等を行ったりすることが可能となる。
【００２２】
図６は、ステーション１０の配置場所を説明するための図である。同図には、電源コンセント１０１及びアンテナ用同軸ケーブル１０２を備えたマルチメディアコンセント１００が示してある。ステーション１０は、部屋の中からは見えないように、このマルチメディアコンセント１００の裏側である壁内に配置されている。マルチメディアコンセント１００の図中左側に配置されているのは、ＵＳＢ接続端子口１０３と、コンパクトフラッシュ（登録商標）挿入口１０４であり、ステーション１０のＵＳＢ接続端子１５及びコンパクトフラッシュ（登録商標）スロット１６が丁度この口の位置にくるように配置されている。ユーザが、ステーション１０にアクセスする際には、このマルチメディアコンセント１００のカバーを外せば良い。
【００２３】
このように、ステーション１０が、マルチメディアコンセント１００の裏側壁内に設置されているので、ユーザは、ステーション１０の存在を意識することなく、ホームネットワークシステム１を利用することができる。また、来訪者等があった場合でも、ステーション１０を部屋から見られることがないので、デザイン的にもすっきりした印象を与えることができる。
【００２４】
ここで、ステーション１０は、ホームネットワークシステム１内の端末機器と定期的に無線ＬＡＮを介して通信することで、端末機器の設置位置や作動状態を把握している。これらの情報は、ＨＤＤ内に格納されている。特に、多機能リモコン２０のように、ユーザによって持ち運ばれ、頻繁に位置が変わる端末機器とは頻繁に通信し、その位置を把握している。なお、ユーザが、多機能リモコン２０の所定のボタンを押すことで、ステーション１０との間で位置把握処理を実行するように構成しても良い。また、多機能リモコン２０の位置を把握しておけば、現在、多機能リモコンが位置する部屋内に設置されている端末機器をリモコン操作するためのボタンモードを、優先的に多機能ボタン２２に表示するといった処理を行うことができる。
【００２５】
なお、本実施の形態では、ステーションは、一つのみ設置しているが、複数のステーションを設置し、ステーション間で有線又は無線による通信を行うようにしても良い。また、ステーションの設置場所に関しても、マルチメディアコンセントの裏側壁内だけでなく、天井裏、床下、押入内等、外から見えない収納場所であれば、美感を損ねることなく配置可能である。
【００２６】
（２）赤外線中継装置
図７は、赤外線中継装置３０の構成をイメージで示すブロック図である。同図に示すように、赤外線中継装置３０は、多機能リモコン２０及び赤外線受信機能を備えた端末機器と赤外線通信を行うための赤外線受発信部３１、ステーション及び無線ＬＡＮ機能を備えた端末機器と無線ＬＡＮ通信を行うための無線ＬＡＮ装置３２、これら赤外線受発信部３１及び無線ＬＡＮ装置３２を制御するためのマイコン３３を搭載している。このような構成を有する赤外線中継装置３０は、多機能リモコン２０又はステーション１０からの指令に従って、端末機器を制御するための赤外線を発信する機能を備えている。
【００２７】
ここで、赤外線中継装置３０による赤外線通信可能エリアが部屋全体をカバーすべく、赤外線受発信部３１には、複数の赤外線ＬＥＤ（発光ダイオード）３１１が搭載されている。図８は、赤外線ＬＥＤ３１１の配置状況を示す図であり、赤外線中継装置３０の設置場所である天井面に平行な面による赤外線中継装置３０の断面図である。図８に示すごとく、放射状に４つの赤外線ＬＥＤ３１１を配置することで、ほぼ部屋全体をカバーすることが可能となる。もちろん、赤外線ＬＥＤ３１１の配置は、適宜変更可能であり、さらに多くの赤外線ＬＥＤ３１１を設置するようにしても良い。
【００２８】
次に、赤外線中継装置３０の作用について詳細に説明する。例えば、多機能リモコン２０の赤外線機能を用いて、部屋Ｂにいるユーザが部屋Ａに設置されている壁掛テレビ５０の電源をＯＦＦにしたいケースを想定する。通常、赤外線通信は、障害物があると遮断されてしまうため、ユーザは、部屋Ａ内の壁掛テレビ５０が見通せる位置に移動してから、多機能リモコン２０を操作しなければ、壁掛テレビ５０の電源をＯＦＦにすることができない。これに対して、本ホームネットワークシステム１を用いれば、部屋Ｂにいるユーザが、多機能リモコン２０をテレビ制御モードに設定したうえで、部屋Ｂの赤外線中継装置３０Ｂに向けて、壁掛テレビ５０を電源ＯＦＦする指令を赤外線送信することで、電源ＯＦＦを実現することができる。
【００２９】
上述した機能は、下記のようなプロセスを経て実現される。多機能リモコン２０から壁掛テレビ５０の電源ＯＦＦの指令を受信した赤外線中継装置３０Ｂは、無線ＬＡＮを介してその指令をステーション１０に送信する。ステーション１０は、ＨＤＤ内の関連付けデータから壁掛テレビ５０が配置されている部屋Ａに設置された赤外線中継装置３０Ａを抽出し、壁掛テレビ５０の電源をＯＦＦするための赤外線を発信する指令を、無線ＬＡＮを介して赤外線中継装置３０Ａに送信する。この指令を受け取った赤外線中継装置３０Ａは、壁掛テレビ５０に対して赤外線を送信し、壁掛テレビの電源がＯＦＦされることになる。このとき、赤外線中継装置３０Ａは、壁掛テレビ５０が受信可能な規格の赤外線に変換した上で赤外線送信する。このように、赤外線中継装置３０を有する本ホームネットワークシステム１においては、赤外線リモコンを用いて操作したい赤外線受信機能付端末機器と赤外線リモコンとの間に、障害物が存在する場合であっても、赤外線中継装置１０を介して当該端末機器の操作が可能となるという効果を奏する。
【００３０】
なお、赤外線中継装置３０は、上記構成態様に限定されるものではなく、各種の変形が可能である。例えば、最初の操作指令を出す機器は、多機能リモコン２０に限定されず、壁掛テレビ５０の専用赤外線リモコンであっても良い。また、最初の指令は、多機能リモコン２０と赤外線中継装置３０Ｂとの間の赤外線通信により行われたが、多機能リモコン２０から無線ＬＡＮ機能を介してステーション１０に対して指令を送信するように構成しても良い。
【００３１】
また、本実施の形態では、赤外線中継装置３０を天井の中心に埋め込んで設置したが、同じ部屋に置かれている赤外線受信機能付端末機器と赤外線通信可能な位置であれば、部屋の壁や、棚の上等に設置しても良い。但し、端末機器の移動等を考慮すると、できるだけ広いエリアでの赤外線通信を可能にする位置に設置するのが好ましい。
また、赤外線中継装置３０は、赤外線の中継に限定されず、無線ＬＡＮやBluetooth（登録商標）の中継機能を備えるものであっても良い。例えば、マンション等の電波状況の悪い場所においては、無線ＬＡＮによる通信であっても隣の部屋に届かない場合も想定されるので、無線ＬＡＮ中継装置の設置が有効である。
【００３２】
（３）充電用クレードル
図９は、充電用クレードル４０の構成を示す図であり、図９（ａ）は斜視図、図９（ｂ）は上面図である。同図においては、多機能リモコン２０がクレードル上に置かれている。図９（ａ）に示すように、充電用クレードル４０の前面板４３下部には給電用の一対の電極４１が設置されている。また、同図（ｂ）に示すように、端末機器を差し込むためのクレードルの凹部４４にも、端末機器に充電するための一対の電極４２が設置されている。
【００３３】
図２に示したように、多機能リモコン２０の下部には、この凹部４４内の電極４２に接触して充電するための接触端子２４が設けられており、この凹部４４内に多機能リモコン２０を差し込むと、電極４２を介して、多機能リモコン２０内の充電池に対して充電が行われる。また、図示は省略するが、機能可変型スイッチ６０にも電極４２と接触するための接触端子が設けられており、機能可変型スイッチ６０もこの充電用クレードル４０を利用して充電を行うことができる。
【００３４】
もちろん、充電用クレードル４０の凹部４４に差し込んで充電を行う端末機器は、多機能リモコン２０や機能可変型スイッチ６０に限定されるものではなく、本実施の形態に係る端末機器以外（例えば、ＰＤＡ、デジタルカメラ、ＩＣレコーダー等）であっても、充電池及び電極４２と接触するための接触端子を有する端末機器であれば、充電用クレードル４０に差し込んで充電を行うことができる。充電用クレードル４０は、ある程度の幅を持っており、複数の端末機器を差し込んで同時に充電を行うことが可能である。
【００３５】
このように、複数の端末機器の接触端子を共通化すれば、単一の充電用クレードル４０によって、複数の端末機器に対する充電を行うことができるので、従来のように、携帯電話、ＰＤＡ、デジタルカメラ、ＩＣレコーダー等の端末機器毎に充電用のクレードルを設置する必要がなくなり、設置場所を有効利用できると共に、コストも低減させることができる。また、様々な形状のクレードルを設置する必要がなく、単一の充電用クレードル４０を設置するだけで良いので、インテリア的にもすっきりとしたお洒落なイメージを与えることができる。
【００３６】
次に、図１に示した、充電用クレードル４０に引っ掛けて使用する壁掛テレビ５０について説明する。図１０は、壁掛テレビ５０の外観構成を示す図である。図１０（ａ）は、壁掛テレビ５０の正面斜視図、図１０（ｂ）は、壁掛テレビ５０の背面斜視図である。同図（ｂ）に示すように、壁掛テレビ５０の背面には、充電用クレードル４０の前面板４３に引っ掛けて壁掛テレビ５０を設置するためのフック板５１が設けられている。また、壁掛テレビ５０の背面には、電極４１に接触して、壁掛テレビ５０に電力を供給するための、接触端子５２が設けられている。上記フック板５１により壁掛テレビ５０が充電用クレードル４０に掛けられると、この接触端子５２と電極４１が接触し、壁掛テレビ５０に電力が供給されることになる。
【００３７】
なお、壁掛テレビ５０は、ネットワーク対応テレビであって図示しない無線ＬＡＮ機能を搭載しており、映像データは、ステーションから無線ＬＡＮを介して送信されるように構成されている。
【００３８】
また、壁掛テレビ５０は充電池内蔵タイプであっても良い。この場合には、壁掛テレビ５０を充電用クレードル４０に掛けた際に、上記電極４１を介して壁掛テレビ内の充電池に電気が充電されることになる。充電池内蔵タイプであれば、壁掛テレビ５０を持ち運び、電源がない場所であっても、映像を表示することが可能となり、利便性が向上する。
【００３９】
なお、充電用クレードル４０に引っ掛けられ、電極４１を介して電力が供給されることで作動する端末機器は、壁掛テレビに限定されるものではなく、種々の端末機器にこの構成を適用することができる。例えば、壁掛スピーカ等、充電用クレードル４０の前面板４３に引っ掛けるためのフック板及び電極４１に接触するための接触端子を有する端末機器であれば、この構成を適用することができる。
【００４０】
（４）機能可変型スイッチ
次に、機能可変型スイッチ６０について詳細に説明する。図１１は、機能可変型スイッチ６０の外観構成を示す斜視図である。同図に示すように、機能可変型スイッチ６０は、筐体６１に、スイッチＡ６２とスイッチＢ６３が支持されて構成されている。筐体６１内には、図示しない無線ＬＡＮ機能及び充電池が内蔵されている。よって、機能可変型スイッチ６０とステーション１０及び他の端末機器との間で無線通信が可能であり、電源コンセントの位置を気にすることなく、ユーザが機能可変型スイッチ６０を自由に移動させて、所望の位置に設置することができる。また、この機能可変型スイッチ６０のスイッチを押した際に、制御される端末機器及びその制御内容に関する情報が、ステーション１０内のＨＤＤ１３に格納されている。よって、この機能可変型スイッチ６０は、ステーション１０と協働して端末機器の制御を行うことになる。
【００４１】
以下、この機能可変型スイッチ１０の使用方法について説明する。ここでは、スイッチＡが押されると、部屋Ａ及び部屋Ｂの蛍光灯（図示せず）の電源のＯＮ／ＯＦＦ、スイッチＢが押されると、壁掛テレビ５０の主電源のＯＮ／ＯＦＦが制御される場合について説明する。
【００４２】
まず、ユーザは、多機能リモコン２０を用いてスイッチＡ６２及びスイッチＢ６３の機能の設定を行う。すなわち、ユーザは、多機能リモコン２０のディスプレイ２１に表示される情報を参照しながら、多機能ボタン２２を操作して、スイッチＡ６２と部屋Ａ及び部屋Ｂの蛍光灯のＯＮ／ＯＦＦ制御を関連付け、続いて、スイッチＢ６３と壁掛テレビのＯＮ／ＯＦＦ制御を関連付ける。この関連付け情報は、ステーション１０内のＨＤＤ１３に格納される。設定終了後、ユーザによりスイッチＡ６２が押されると、スイッチＡ６２が押下されたことを示す信号が、機能可変型スイッチ６０の無線ＬＡＮ装置からステーション１０に対して送信される。
【００４３】
この押下信号は、ステーション１０の無線ＬＡＮ装置１４により受信され、ＣＰＵ１１にその旨が伝達される。ＣＰＵ１１は、ＨＤＤ１３内に格納されている上記関連付け情報を参照し、部屋Ａ及び部屋Ｂの蛍光灯に対して、電源をＯＮ又はＯＦＦする旨の信号を無線ＬＡＮ装置１４から送信する。部屋Ａ及び部屋Ｂの蛍光灯は、このＯＮ／ＯＦＦ信号を受信すると、この信号に従い、その電源をＯＮ又はＯＦＦするよう作動することになる。また、スイッチＢ６３についても同様の処理によって、壁掛テレビ５０の電源のＯＮ／ＯＦＦ制御が行われる。ここで、上述したステーション１０による処理は、ＨＤＤ１３内に格納されている処理プログラムをＣＰＵ１１が実行することで実現される。
【００４４】
この機能可変型スイッチ６０を玄関に設置しておけば、ユーザが外出する際や帰宅した際に、スイッチＡを押すだけで、部屋Ａ及び部屋Ｂの蛍光灯のＯＮ／ＯＦＦを行うことができ、非常に便利である。また、上述したように、このスイッチＡ及びＢ６２，６３の機能は、ユーザが自由に設定可能であり、配置場所も自由に移動させることができるので、非常に便利である。
【００４５】
もちろん、スイッチＡ及びＢ６２，６３が押された際の制御対象端末機器及び制御内容は、ユーザが任意に設定可能である。例えば、所定の制御対象端末機器の電源ＯＮ／ＯＦＦに限られず、壁掛テレビのチャンネル変更や音量アップ／ダウン等、任意の制御内容を設定可能である。また、ホーム内の全ての電灯のＯＮ／ＯＦＦを制御するように設定しても良い。
【００４６】
（５）電源タップ
次に、電源タップ７０について、図面を参照して詳細に説明する。図１２は、電源タップ７０の外観構成を示す斜視図である。図１３は、電源タップ７０の内部構成を示すブロック図である。この電源タップ７０は、複数のコンセント口７２−１〜７２−４の電源のＯＮ／ＯＦＦを、ユーザが多機能リモコン２０から制御可能に構成したことを特徴とする。
【００４７】
図１２に示すように、電源タップ７０は、筐体７１に４つのコンセント口７２が設けられており、また電源コード７３が接続されている。図示は省略するが、電源コード７３の先端は、部屋に設置されている電源コンセントに差し込まれており、電源タップ７０に電力が供給可能になっている。図１３に示すように、筐体７１内には、無線ＬＡＮによる通信機能を実現するための無線ＬＡＮ装置７４と、コンセント口７２に供給する電力をＯＮ／ＯＦＦするための制御装置７５が設けられている。
【００４８】
上記構成を有する電源タップ７０に対して、ユーザは、多機能リモコン２０を使って、コンセント口７２−１〜７２−４の何れをＯＮ又はＯＦＦにするかの指令を送ることができる。具体的には、多機能リモコン２０のディスプレイ２１に表示される情報を参照しながら、所定の多機能ボタン２２を押すことで、ＯＮ／ＯＦＦ制御信号が、無線ＬＡＮ通信を介してステーション１０へと送信される。この制御信号は、ステーション１０から電源タップ７０へと、同じく無線ＬＡＮ通信を介して送信され、制御装置７５が、この制御信号に基づいてコンセント口７２の電源ＯＮ／ＯＦＦを制御する。
【００４９】
このような機能を有する電源タップ７０によれば、多機能リモコン２０から各コンセント口７２に接続されている家電製品の電源ＯＮ／ＯＦＦを制御することが可能になる。よって、通信手段を有しない、従来の家電製品であっても、ユーザが多機能リモコン２０を介して制御できるという効果を奏する。
【００５０】
なお、電源タップ７０は、上記構成に限定されるものでなく、多機能リモコン２０から無線ＬＡＮを介して直接電源タップ７０に制御信号を送るように構成しても良い。このような変形は、多機能リモコン２０及び電源タップ７０の制御装置のプログラムを書き換えることで実現できる。また、ステーション１０と電源タップ７０間の通信は、無線ＬＡＮではなく、電力供給線を介して、有線で行われるように構成しても良い。に送信されるようにプログラムしても良い。
【００５１】
以上、本実施の形態に係る種々のホームネットワーク用機器は、ホームネットワークシステムに適するように改良されており、ホームネットワークを使用するユーザの利便性を格段に向上させることができる。
【００５２】
以上、本実施の形態について詳細に説明したが、本発明の主旨を逸脱しない範囲でないで種々の変形が可能であることはいうまでもない。例えば、本実施の形態においては、ステーションと端末機器間、端末機器と他の端末機器間の通信は、主として無線ＬＡＮ通信を用いているが、これに限られるものではなく、適宜、Bluetooth（登録商標）通信、赤外線通信、有線ＬＡＮ通信、電力線を利用した通信等に置き換えることができる。また、ホームネットワークシステムは、家庭内だけでなく、オフィス等で利用しても良い。
【００５３】
また、ホームネットワーク用の端末機器は、種々の端末機器を用いることができるのはいうまでもない。例えば、ハードディスクレコーダー、外付け無線ＬＡＮ対応ハードディスク、ネットワークカメラ、ＣＤ／ＤＶＤプレーヤー、ネットワーク型マイク、ネットワーク対応型プリンタが挙げられる。
【図面の簡単な説明】
【００５４】
【図１】本発明の実施の形態に係るホームネットワークシステムの構成を概略的に示す図である。
【図２】本発明の実施の形態に係る多機能リモコンの外観構成を示す図である
【図３】本発明の実施の形態に係る多機能ボタンのＬＣＤパネルに表示されるボタンパターンを示す図である。
【図４】本発明の実施の形態に係る多機能ボタンのＬＣＤパネルに表示されるボタンパターンを示す図である。
【図５】本発明の実施の形態に係るステーションの構成を概略的に示すブロック図である。
【図６】本発明の実施の形態に係るステーションの配置場所を説明するための図である。
【図７】本発明の実施の形態に係る赤外線中継装置の構成をイメージで示すブロック図である。
【図８】本発明の実施の形態に係る赤外線ＬＥＤの配置状況を示す図である。
【図９】本発明の実施の形態に係る充電用クレードルの構成を示す図である。
【図１０】本発明の実施の形態に係る壁掛テレビの外観構成を示す図である。
【図１１】本発明の実施の形態に係る機能可変型スイッチの外観構成を示す斜視図である。
【図１２】本発明の実施の形態に係る電源タップの外観構成を示す斜視図である。
【図１３】本発明の実施の形態に係る電源タップの内部構成を示すブロック図である。
【符号の説明】
【００５５】
１      ホームネットワークシステム
５      ネットワーク
１０    ステーション
２０    多機能リモコン
３０    赤外線中継装置
４０    充電用クレードル
５０    壁掛テレビ
６０    機能可変型スイッチ
７０    電源タップ
【図１】
2006191165.tif 000003
【図２】
2006191165.tif 000004
【図５】
2006191165.tif 000005
【図６】
2006191165.tif 000006
【図７】
2006191165.tif 000007
【図８】
2006191165.tif 000008
【図９】
2006191165.tif 000009
【図１０】
2006191165.tif 000010
【図１１】
2006191165.tif 000011
【図１２】
2006191165.tif 000012
【図１３】
2006191165.tif 000013
【図３】
2006191165.tif 000014
【図４】
2006191165.tif 000015